(57)【要約】【課題】板状調湿建材の調湿機能を阻害することなく、この板状調湿建材を高い取付け強度で取付けることができるばかりか、板状調湿建材間の端辺部における目地部開きを防止してその優れた外観を恒久的に維持可能な板状調湿建材の取付構造の提供。【解決手段】柱材２１に支持された面状下地材２０の表面に、内装材としての複数の板状調湿建材１０を縦横に密に並列させて取付けた板状調湿建材の取付構造であって、面状下地材２０の表面に、複数の長尺支持部材３０を取付部材４０により平行に、かつ取付部材４０の先端が柱材２１に食い込むように取付け、各板状調湿建材１０をその端辺が長尺支持部材３０の長手方向に沿って所定の架かり代を保つように並列させると共に、各板状調湿建材１０の少なくとも端辺を、接着剤５０を介して長尺支持部材３０に貼着してなる。【選択図】    図１
2004263513.tif 000002
【特許請求の範囲】
【請求項１】
柱材に支持された面状下地材の表面に、内装材としての複数の板状調湿建材を縦横に密に並列させて取付けた板状調湿建材の取付構造であって、前記面状下地材の表面に、複数の長尺支持部材を取付部材により平行に、かつ前記取付部材の先端が前記柱材に食い込むように取付け、前記各板状調湿建材をその端辺が前記長尺支持部材の長手方向に沿って所定の架かり代を保つように並列させると共に、前記各板状調湿建材の少なくとも端辺を、接着剤を介して前記長尺支持部材に貼着してなることを特徴とする板状調湿建材の取付構造。
【請求項２】
前記各板状調湿建材の長尺支持部材に対する架かり代が、各板状調湿建材の端辺から１０〜５０ｍｍの範囲にあることを特徴とする請求項１に記載の板状調湿建材の取付構造。
【請求項３】
前記各板状調湿建材を、これら板状調湿建材の縦横目地部が交差する目地交差部が長尺支持部材上に位置するように取付けたことを特徴とする請求項１または２に記載の板状調湿建材の取付構造。
【請求項４】
前記各長尺支持部材を、その長尺方向が建物の水平方向に沿うように面状下地材に取付け固定してなることを特徴とする請求項１〜３のいずれか１項に記載の板状調湿建材の取付構造。
【請求項５】
前記板状調湿建材と面状下地材との間に形成される空間部に介在部材を配置することにより、前記各板状調湿建材を面状下地材から支持してなることを特徴とする請求項１〜４のいずれか１項に記載の板状調湿建材の取付構造。
【請求項６】
前記介在部材がクッション材であることを特徴とする請求項５に記載の板状調湿建材の取付構造。
【請求項７】
前記介在部材が接着剤であることを特徴とする請求項５に記載の板状調湿建材の取付構造。
【発明の詳細な説明】
【０００１】
【発明の属する技術分野】
本発明は、建物の内装材としての板状調湿建材、例えば調湿タイルを、面状下地材、例えば室内壁面に複数貼付けてなる板状調湿建材の取付構造に関するものであり、さらに詳しくは、板状調湿建材の調湿機能を阻害することなく、この板状調湿建材を高い取付け強度で面状下地材に取付けることができるばかりか、板状調湿建材間の端辺部における目地部開きを防止した板状調湿建材の取付構造に関するものである。
【０００２】
【従来の技術】
調湿タイルに代表される板状調湿建材は、調湿機能が高く、しかも軽量性および断熱性がすぐれていることから、これらの特性を生かして、建物壁構造用素材、例えば建物の内装材などとして広く使用されている。
【０００３】
そして、これらの板状調湿建材を建物の室内壁面、例えば面状下地材に取付ける方法としては、接着剤による貼付法が一般的であり、例えば既存の面状下地面の全面に接着剤を介してパネルを貼り付けてクロス貼り壁面に改修する方法（例えば、特許文献１参照）および調湿タイル裏面の少なくとも周囲端部近傍に接着剤を略直線状にビード塗布し、これを施工面に貼り付ける方法（例えば、特許文献２参照）などが従来から知られている。
【０００４】
しかしながら、上記従来の接着剤を介した貼り付け方法では、板状調湿建材が面状下地材に接着剤を介して直接貼り付けられるため、板状調湿建材の裏面側すなわち建物の面状下地材と外壁材との間（壁体内）の調湿機能が阻害されるばかりか、面状下地材表面のクロス貼り面や塗装仕上げ面などと、これらが付着している下地面との境界面が、板状調湿建材の重量に耐えられずに剥離しやすく、その結果、板状調湿建材がクロス貼り面や塗装仕上げ面などと共に脱落してしまうという問題があった。
また、面状下地材が塗装されていない石膏ボードであっても、板状調湿建材の自重により石膏ボード表面の厚紙が剥離して、板状調湿建材が脱落してしまうという問題があった。
【０００５】
また、面状下地材とパネル状建材との間に内部を中空とした鋼製の胴縁を介在させ、この胴縁とパネル状建材とを接着剤で接着する方法（例えば、特許文献３参照）も知られている。
しかし、この方法を内装用の板状調湿建材に適用しても、胴縁の設置位置が規定されておらず、この胴縁を任意の位置に配置した場合には、吸放湿による板状調湿建材の寸法変化に起因する板状調湿建材間端辺の目地部開きが生じやすく、その結果室内壁面の外観が著しく阻害されるという問題があった。
【特許文献１】
特開平８−８２０７１号公報
【特許文献２】
特開２００２−１２９７３１号公報
【特許文献３】
特開２００１−１７３２０３号公報
【０００６】
【発明が解決しようとする課題】
本発明は、上述した従来技術における問題点の解決を課題として検討した結果達成されたものである。
【０００７】
したがって、本発明の目的は、板状調湿建材の調湿機能を阻害することなく、この板状調湿建材を高い取付け強度で取付けることができるばかりか、板状調湿建材間の端辺部における目地部開きを防止してそのすぐれた外観を恒久的に維持可能な板状調湿建材の取付構造を提供することにある。
【０００８】
【課題を解決するための手段】
上記の目的を達成するために、本発明の板状調湿建材の取付構造は、柱材に支持された面状下地材の表面に、内装材としての複数の板状調湿建材を縦横に密に並列させて取付けた板状調湿建材の取付構造であって、前記面状下地材の表面に、複数の長尺支持部材を取付部材により平行に、かつ前記取付部材の先端が前記柱材に食い込むように取付け、前記各板状調湿建材をその端辺が前記長尺支持部材の長手方向に沿って所定の架かり代を保つように並列させると共に、前記各板状調湿建材の少なくとも端辺を、接着剤を介して前記長尺支持部材に貼着してなることを特徴とする。
【０００９】
なお、本発明の板状調湿建材の取付構造においては、
前記各板状調湿建材の長尺支持部材に対する架かり代が、各板状調湿建材の端辺から１０〜５０ｍｍの範囲にあること、
前記各板状調湿建材を、これら板状調湿建材の縦横目地部が交差する目地交差部が長尺支持部材上に位置するように取付けたこと、
前記各長尺支持部材を、その長尺方向が建物の水平方向に沿うように面状下地材に取付け固定してなること、
前記板状調湿建材と面状下地材との間に形成される空間部に、介在部材、特にクッション材または接着剤を配置することにより、前記各板状調湿建材を面状下地材から支持してなること
がいずれも好ましい条件として挙げられ、これらの条件を適用した場合には、さらに優れた効果の取得を期待することができる。
【００１０】
【発明の実施の形態】
以下に、図面を参照しつつ、本発明の板状調湿建材の取付構造について詳述する。
【００１１】
図１は本発明の板状調湿建材の取付構造の一例を示す斜視説明図、図２は図１のＡ−Ａ線矢視断面図、図３および図４は他の実施例を示すＡ−Ａ線矢視断面図である。また、図５は調湿性能を測定する試験体の同様の断面図を示す。
【００１２】
図１および図２に示したように、本発明の板状調湿建材の取付構造は、建物の柱材２１に支持された面状下地材２０の表面に、内装材としての複数の板状調湿建材１０を縦横に密に並列させて取付けた構造を基本とするものである。
【００１３】
上記柱材２１としては、木材または鉄骨からなる建物躯体が使用され、面状下地材２０としては、石膏ボード、ＡＬＣパネル、木板などが使用される。
これら面状下地材２０の表面には、塗装仕上げ、左官仕上げおよびクロス仕上げなどがなされていてもよい。
【００１４】
そして、面状下地材２０の表面には、複数の長尺支持部材３０が平行に配置されており、これら各長尺支持部材３０は、例えば釘、ネジ、ステープルなどの取付部材４０により、これら取付部材４０の先端が柱材２１に食い込むようにして、面状下地材２０に取付け固定されている。
【００１５】
さらに、各板状調湿建材１０は、その端辺が長尺支持部材３０の長手方向に沿って所定の架かり代Ｌを保つように並列されており、各板状調湿建材１０の少なくとも端辺が、図２に示すように、接着剤５０を介して長尺支持部材３０に貼着されている。
【００１６】
なお、各板状調湿建材１０の長尺支持部材３０に対する架かり代Ｌは、各板状調湿建材１０の端辺から１０〜５０ｍｍの範囲にあることが、各板状調湿建材１０間の端辺部における目地部開きを効果的に防止できると共に、板状調湿建材の裏面（壁体内）における調湿機能をより有効に発現できることから望ましい。
【００１７】
ここで、各板状調湿建材１０は、これら板状調湿建材１０の横目地部１１と縦目地部１２とが交差する目地交差部１３が長尺支持部材３０上に位置するように取付けられていることが、各板状調湿建材１０間の端辺部における目地部開きを効果的に防止できることから望ましい。
【００１８】
上記各長尺支持部材３０は、図示した実施例ではその長尺方向が建物の水平方向に沿うように面状下地材２０に取付け固定されているが、場合によっては建物の垂直方向に沿うように面状下地材２０の取付けられていてもよい。
【００１９】
また、各板状調湿建材１０は、これら各板状調湿建材１０の端辺以外の部分においては、面状下地材２０との間に空間部７０を残して長尺支持部材３０に取付けられているが、この空間部７０の一部には介在部材６０、この実施例では、図１および図２に示すように、クッション材６１が配置されて、各板状調湿建材１０を面状下地材２０から支持している。
【００２０】
なお、空間部７０に配置する介在部材６０としては、クッション材６１の代わりに図３に示したような接着剤６２を使用することもでき、場合によっては、図４に示したように、介在部材６０を配置することなく単なる空間として板状調湿建材１０の調湿機能をより十分に発現させることも可能である。
【００２１】
上記の構成からなる本発明の板状調湿建材の取付構造において使用する板状調湿建材１０の大きさとしては、厚みが５〜１５ｍｍ、長さおよび幅がそれぞれ１５０〜６００ｍｍ程度のものが好適であり、接着剤５０を塗布する部分に深さ約１〜２ｍｍ程度の溝を形成しておくことが、接着剤の塗布作業を容易に行えると共に、接着強度をより確実なものとすることができる点で望ましい。また、各板状調湿建材１０の裏面四周端部には、取付部材４０の頭部が入る凹部を形成しておくことが望ましい。
【００２２】
本発明で使用する長尺支持部材３０は、金属、プラスチックまたは木材からなり、その大きさとしては、厚みが０．０５〜３ｍｍ、幅が２０〜１００ｍｍ、長さが１５００〜３０００ｍｍ程度のものが好適であり、この長尺支持部材３０に対する取付部材４０の取付け間隔は、３００〜６００ｍｍの範囲であることが望ましい。また、長尺支持部材３０の板状調湿建材１０側には、取付部材４０の頭部が入る凹部を形成しておくことが望ましく、これにより板状調湿建材１０の不陸調整を容易に行うことができる。なお、長尺支持部材３０を取付部材４０で面状下地材２０に取付け固定するに際しては、取付部材４０と共に接着剤を併用することにより、取付け強度をさらに高めることも可能である。さらに、この長尺支持部材３０を取付ける面状下地材２０の表面の凹凸が大きい場合には、長尺支持部材３０の取付け面が面一となるように注意を払う必要がある。
【００２３】
本発明で使用する接着剤は、板状調湿建材１０と長尺支持部材３０との接着性に優れるものであれば特に制限はないが、なかでも変性シリコーン系の接着剤が好ましく使用される。この接着剤は、板状調湿建材１０の裏面外周にビード塗布されることが望ましく、その場合の接着剤の塗布量は０．１５〜０．２５ｇ／ｃｍの範囲が好ましい。
【００２４】
空間部７０の一部に配置されるクッション材６１および接着剤６２などの介在部材６０は、隣り合う介在部材６０との間隔が１５０ｍｍ以下となるように配置することが望ましく、このように配置することによって、板状調湿建材１０自体の裏面（壁体内）における調湿機能を阻害することなく、板状調湿建材１０に外力が加わった場合の破損を効果的に防止することができる。これら介在部材６０が全体に占める面積は、（全面積−長尺支持部材３０の面積）×０．１以下とすることが、調湿機能を保持する上で望ましい。また、介在部材６０としてクッション材６１を使用する場合には、このクッション材６１を接着剤を介して面状下地材２０または長尺支持部材３０に固定することもできる。
【００２５】
上記の構成からなる本発明の板状調湿建材の取付構造は、例えば下記の方法により形成することができる。
【００２６】
まず、板状調湿建材１０の割付図にしたがって、面状下地材２０の表面に、板状調湿建材１０の目地部位置の墨出しを行う。つまり、板状調湿建材１０の横目地部１１および／または縦目地部１２に対し、長尺支持部材３０の幅方向中央位置が一致するように墨出しを行う。
【００２７】
次に、面状下地材２０の表面に形成した墨位置に長尺支持部材３０を配置し、取付部材４０をその先端が面状下地材２０の塗装仕上げ面、左官仕上げ面およびクロス仕上げ面などを貫通して、柱材２１の内部に食い込むように打ち込みまたは捩じ込みすることにより、面状下地材２０に対し長尺支持部材３０を取付け固定する。
【００２８】
次いで、板状調湿建材１０の裏面の長尺支持部材３０と合致する位置に、接着剤５０をビード塗布し、この接着剤５０塗布面を長尺支持部材３０に軽く押さえるようにすることにより、長尺支持部材３０に対し板状調湿建材１０を貼り付ける。この場合の貼り付け作業は、最下段から貼り初め、板状調湿建材１０の横目地部１１および／または縦目地部１２同士を付き合わせながら、横方向あるいは縦方向へと順に貼り付けていくことが好ましい。
【００２９】
なお、介在部材６０を使用する場合には、板状調湿建材１０の貼り付け前に、空間部７０の一部に接着剤を介してクッション材６１を配置するか、あるいは接着剤６２をビード塗布しておけばよい。
【００３０】
かくして構成される本発明の板状調湿建材の取付構造においては、板状調湿建材１０を貼り付ける長尺支持部材３０を、取付部材４０の先端が面状下地材２０の塗装仕上げ面、左官仕上げ面およびクロス仕上げ面などを貫通して、柱材２１の内部に食い込むようにして取付けられているため、板状調湿建材１０が塗装仕上げ面、左官仕上げ面およびクロス仕上げ面などと共に脱落する惧れがなく、板状調湿建材１０を高い取付け強度で面状下地材２０に対し取付けることができる。
【００３１】
また、板状調湿建材１０の端辺以外の部分においては、面状下地材２０との間に空間部７０を残して長尺支持部材３０に取付けられるため、壁体内の調湿機能を損なうことなく良好に維持することができる。
【００３２】
さらに、各板状調湿建材１０の縦横目地部および目地交差部が、長尺支持部材３０上で突き合わされて接着固定されているため、板状調湿建材１０の寸法変化による目地部開きを生じることがなく、その結果室内壁面のすぐれた外観を恒久的に保つことができる。
【００３３】
【実施例】
次に、実施例により本発明の構成・効果をさらに説明する。
【００３４】
（実施例１）
室内壁の柱面状下地材として表面塗装された石膏ボード（厚さ１２．５ｍｍ）を使用した木造建築物において、室内壁（縦２４２４ｍｍ×横３６３６ｍｍ）の表面に対し、厚みが８ｍｍ、長さおよび幅がそれぞれ３０３ｍｍの板状調湿建材（クリオン（株）製、商品名：ハーモナイトシーズ）を９６枚（縦８枚×横１２枚）を密に貼り合わせる作業を、次の手順で行った。
【００３５】
まず、板状調湿建材の割付図にしたがって、面状下地材の表面に、板状調湿建材の横目地部および／または縦目地部に対し、長尺支持部材の幅方向中央位置が一致するように墨出しを行い、形成した墨位置に、ステンレス製の長尺支持部材（厚み１ｍｍ、幅６０ｍｍ、長さ１８２０ｍｍ）を、３０３ｍｍ間隔で平行に配置した。次に、取付部材として木ネジを使用し、各木ネジの先端が石膏ボードを貫通して木造の柱内部に食い込むように捩じ込むことにより、面状下地材に対し長尺支持部材を取付け固定した。
なお、柱（１００ｍｍ×１００ｍｍ）は、前記室内壁の両端部に各１本およびその間に７本が配置されている。
【００３６】
次いで、各板状調湿建材の裏面の各長尺支持部材と合致する位置に、変性シリコーン系接着剤（セメダイン（株）製、商品名：ハーモナイトタック）を塗布量０．２ｇ／ｃｍでビード塗布し、この接着剤塗布面を長尺支持部材に軽く押さえるようにすることにより、各長尺支持部材に対し各板状調湿建材を貼り付けた。この場合の貼り付け作業は、最下段から貼り初め、板状調湿建材の横目地部および／または縦目地部同士を付き合わせながら、横方向あるいは縦方向へと順に貼り付けていくことにより行った。このとき、各板状調湿建材の長尺支持部材への架かり代（片側）は３０ｍｍとした。
【００３７】
かくして構成した室内壁は、２年間の放置後においても、面状下地材から板状調湿建材が全く脱落することがなく、しかも各板状調湿建材間の目地部開きも全く生じることがなかった。
【００３８】
（実施例２）
鉄骨建築物において、室内壁の面状下地材として塗装仕上げされていないケイ酸カルシウム板を使用した以外は実施例１と同様の方法で、板状調湿建材を縦横に密に貼り合わせた。なお、この場合には、長尺支持部材の取付部材としてタッピンねじを使用し、このタッピンねじの先端を柱材としての鉄骨の内部に捩じ込んだ。
【００３９】
かくして構成した室内壁は、２年間の放置後においても、面状下地材から板状調湿建材が全く脱落することがなく、しかも各板状調湿建材間の目地部開きも全く生じることがなかった。
【００４０】
（比較例）
実施例１において、長尺支持部材の使用を省略し、裏面に接着剤を塗布量０．２ｇ／ｃｍでビード塗布した板状調湿建材を、面状下地材として塗装された石膏ボード面に直接貼り付けることによって室内壁を構成した。
【００４１】
これら実施例１および比較例の取付構造について次の試験方法により、板状調湿建材の裏面側すなわち建物の面状下地材と外壁材との間（壁体内）の調湿性能を測定して比較した。
図５に示すように、実施例１の面状下地材２０の室外側にグラスウール８１（厚さ５０ｍｍ）を配設し、柱の室外側面に防水シート８０とＡＬＣパネル９０（厚さ３５ｍｍ）とを積層させて貼り付ける。
そして、ＡＬＣパネル９０と板状調湿建材１０とで密閉された空間が形成されるように、開口している上下の小口部に柱材２１（１００ｍｍ×１００ｍｍ）を取付ける。さらに、面状下地部材２０、ＡＬＣパネル９０および四方端の柱によって形成される壁体内の空間が密閉されるように、各隙間にシーリングを充填し、調湿性能を測定する試験体を作成した。
【００４２】
この試験体の室内側を温度２０℃、相対湿度６５％と一定に保った状態で、室外側の温度を２４時間で５℃→１０℃→０℃→５℃と変化させ、これを１サイクルとして５日間繰り返した。その後、壁体内のグラスウールに蓄積された水分量を測定することにより、壁体内の結露による水分の増加量を測定した。
その結果、実施例１による試験体では結露による水分の増加量は０ｇであった。
また、比較例による試験体で同様の試験を行ったところ、その水分の増加量は５０ｇであった。このように、本発明における実施例１では、壁体内における結露の発生が抑制されて、十分な調湿性能が発揮された。
【００４３】
また、比較例の板状調湿建材では、５ヶ月経過後に塗装と石膏ボードとの境界面において剥離が発生して、数枚の板状調湿建材が脱落した。
【００４４】
【発明の効果】
以上説明したように、本発明の板状調湿建材の取付構造によれば、板状調湿建材の裏面側すなわち建物の面状下地材と外壁材との間（壁体内）の調湿機能を阻害することなく、この板状調湿建材を高い取付け強度で面状下地材に取付けることができるばかりか、板状調湿建材間の端辺部における目地部開きを防止してそのすぐれた外観を恒久的に維持することができる。
【図面の簡単な説明】
【図１】本発明の板状調湿建材の取付構造の一例を示す斜視説明図である。
【図２】図１のＡ−Ａ線矢視断面図である。
【図３】他の実施例を示すＡ−Ａ線矢視断面図である。
【図４】同じく他の実施例を示すＡ−Ａ線矢視断面図である。
【図５】壁体の試験体の構造を示すＡ−Ａ線矢視断面図である。
【符号の説明】
１０        板状調湿建材
１１        横目地部
１２        縦目地部
１３        目地交差部
２０        面状下地材
２１        柱材
３０        長尺支持部材
４０        取付部材
５０        接着剤
６０        介在部材
６１        クッション材
６２        接着剤
７０        空間部
Ｌ        架かり代
８０    防水シート
８１    グラスウール
９０    ＡＬＣパネル
【図１】
2004263513.tif 000003
【図２】
2004263513.tif 000004
【図３】
2004263513.tif 000005
【図４】
2004263513.tif 000006
【図５】
2004263513.tif 000007